(57)【要約】【課題】  投射レンズから映像をスクリーンに投影する投射型表示装置において、スクリーン表示する必要のない映像、例えば投射装置本体の設定等の表示をスクリーンへ投影して行う場合、非常に高価で寿命時間の短い光源ランプを発光させる必要があり、光源ランプの寿命を短くしてしまうという課題があった。【解決手段】  投射レンズ３を保護するレンズカバーとして液晶等の表示機能を備えたレンズカバー４を使用し、この表示機能付きレンズカバー４に、スクリーン表示する必要のない映像を表示させ、その場合の光源用ランプの発光を不要とした。【選択図】    図１
2006227413.tif 000002
【特許請求の範囲】
【請求項１】
筐体内に配置された光学部品、
該光学部品からの光を映像信号に基づいた映像光に変調する表示デバイス、
上記映像光をスクリーン上に投影する投射レンズ、
該投射レンズを保護するレンズカバー、
を有する投射型表示装置において、
上記レンズカバーは上記投射型表示装置からの上記映像信号に基づいた映像を表示する表示機能を備えると共に、上記レンズカバーが上記投射レンズを露出させているときだけ上記投射レンズから映像光を放射し得ることを特徴とする投射型表示装置。
【請求項２】
レンズカバーはタッチパネル機能を有し、上記タッチパネル機能により投射型表示装置本体の設定及び制御を行うことを特徴とする請求項１に記載の投射型表示装置。
【請求項３】
レンズカバーはリモートコントロール機能を有し、投射型表示装置本体から着脱可能に構成され、上記リモートコントロール機能により上記投射型表示装置の設定及び制御を行うことを特徴とする請求項１又は請求項２に記載の投射型表示装置。
【発明の詳細な説明】
【技術分野】
【０００１】
本発明は、投射型表示装置の投射レンズを保護するレンズカバーとして液晶等の表示機能を有するカバーを用いる投射型表示装置に関するものである。
【背景技術】
【０００２】
従来、投射型表示装置、例えば表示デバイスを液晶パネルとした投射型表示装置は、光源用ランプより発光されリフレクタで反射された光を複数のダイクロイックミラーを介して所定の色光に分光し、各色光を偏光ビームスプリッタを介して各Ｒ、Ｇ、Ｂの色光に対応する液晶パネルに入光して映像信号等で変調した後、各色光をダイクロイックミラーやダイクロイックプリズムを介して集光し、投射レンズよりスクリーン上に投影するようになっている。
【０００３】
このように、光源用ランプ、光学部品、液晶パネルなどの表示デバイスおよび映像等を制御する制御基板、電源基板等を筐体内に収容し、この筐体の前部に投射レンズを配置して投射型表示装置を構成している。そして、非動作時は、投射レンズを保護するため、あるいは防塵のために投射レンズにレンズキャップをしたり、前面にカバーを被せるようにしており、レンズキャップあるいはカバーを装着したまま、電源を投入して光源用ランプから光を放射すると、投射レンズから出光された光がレンズキャップやカバーに投射されその光の熱により、レンズキャップやカバーが変形してしまうばかりか、投射型表示装置内部の温度を上昇させ、投射型表示装置の寿命を短くしてしまうという問題があった。
【０００４】
この対策のため、レンズキャップの装着を検出してランプ電源を切断する機能を備えているものや（例えば、特許文献１参照。）、投射レンズ近傍に電源インレットを配置してレンズキャップ装着時には電源供給ができない様にしているものがある（例えば、特許文献２参照。）。
【０００５】
また、一方で投射型表示装置本体の設定状態を確認したり変更したりする時、特に近年の高機能・多機能化された投射型表示装置の設定時においては、投射型表示装置より投射されてスクリーン上に投影されたメニュー画面を見ながら操作を行う機能を有するものが多く普及しており、光源用ランプを多用する傾向にある。
【０００６】
【特許文献１】特開２０００−１１２０２９号公報（第１図、第２図）
【特許文献２】特開２００２−３４４８４８号公報（第１図）
【発明の開示】
【発明が解決しようとする課題】
【０００７】
特許文献１の技術ではランプ電源そのものが入らないために使い慣れていない使用者にとっては装置の故障と誤認されるという課題があった。
【０００８】
また、特許文献２の技術では、製品の顔ともいえる前面側に電源インレットを配置しているのでデザイン性が低くなるという課題があった。
更に、投射型表示装置本体メニューの設定・確認を表示画面で行う場合は、このためだけに投射のセッティングが必要であると共に高価で寿命時間の短い光源ランプを多用しなければならないという問題があった。
【課題を解決するための手段】
【０００９】
この発明に係る投射型表示装置は、筐体内に配置された光学部品、該光学部品からの光を映像信号に基づいた映像光に変調する表示デバイス、上記映像光をスクリーン上に投影する投射レンズ、該投射レンズを保護するレンズカバー、を有する投射型表示装置において、上記レンズカバーは上記投射型表示装置からの上記映像信号に基づいた映像を表示する表示機能を備えると共に、上記レンズカバーが上記投射レンズを露出させているときだけ上記投射レンズから映像光を放射し得ることを特徴とするものである。
【００１０】
また、この発明に係る投射型表示装置は、レンズカバーはタッチパネル機能を有し、上記タッチパネル機能により投射型表示装置本体の設定及び制御を行うことを特徴とするものである。
【００１１】
更に、この発明に係る投射型表示装置は、レンズカバーはリモートコントロール機能を有し、上記投射型表示装置本体から取り外されたときに、上記リモートコントロール機能により上記投射型表示装置の設定及び制御を行うことを特徴とするものである。
【発明の効果】
【００１２】
この発明に係る投射型表示装置によれば、レンズカバーが投射レンズを露出させる位置にあるときだけ上記投射レンズから映像光を放射し得るので、映像光の熱によるレンズカバーの変形を防止し投射型表示装置の寿命を長くすることができる。更に、表示機能を有するレンズカバーに投射型表示装置本体設定等のスクリーンへの投影を必要としない表示を行うことにより、その場合の投射型表示装置投射のセッティングが不要であると共に高価で寿命時間の短い光源ランプを使用せずに映像を表示させる事が出来るという効果がある。
【００１３】
また、この発明に係る投射型表示装置によれば、レンズカバーはタッチパネル機能を有しているため、投射型表示装置本体の設定及び制御を容易に行うことができ、また設定及び制御用のボタン類が不要となるという効果がある。
【００１４】
更に、この発明に係る投射型表示装置によれば、レンズカバーはリモートコントロール機能を有し、投射型表示装置本体から着脱可能に構成されているため、リモートコントローラーとしてのレンズカバーを本体に取り付けて保管できるため、紛失の心配がないという効果がある。
【発明を実施するための最良の形態】
【００１５】
実施の形態１．
図１は本発明の投射型表示装置の実施の形態１を説明するための斜視図である。図１に基づいて説明する。投射型表示装置１は、一般に筐体２前部に投射レンズ３を配置し、筐体２内に図示しない光源用ランプ、リフレクタ、ミラー及びプリズム等の光学部品、更に光学部品からの光を映像信号に基づいた映像光に変調する液晶パネルのような表示デバイスなどを配置して光路を形成し、投射レンズ３を介して前方のスクリーン上に映像等を投影する。実施の形態１における投射型表示装置１においては、筐体２前部の投射レンズ３を保護するためのレンズカバーは、投射型表示装置からの映像信号により映像を表示する表示機能を有しており、例えば液晶パネル部４ａをレンズカバー部４ｂに取り付けた液晶パネル付きレンズカバー４を用いている。
【００１６】
この液晶パネル付きレンズカバー４の左部には、液晶パネル付きレンズカバー４を回動自在に連結するための枢軸部９を備え、この枢軸部９を中心に液晶パネル付きレンズカバー４が回転することにより投射のために投射レンズ３を露出させたり、保護の為に覆うことが可能となる。
【００１７】
投射レンズ３を保護するために覆うときは、液晶パネル付きレンズカバー４に設けられている係合爪５ａが筐体２側の係合孔７ａに係合されて投射レンズ３を覆って保護できる。また、投射レンズ３を露出するときは、枢軸部９を中心に液晶パネル付きレンズカバー４を回転させて、液晶パネル付きレンズカバー４に設けられている係合爪５を筐体２側の係合孔７に係合させて固定することにより投射レンズ３を露出することができる。
【００１８】
また、液晶パネル付きレンズカバー４はカード状の配線板などにより筐体２内の図示しない電気回路と接続されており、この電気回路からの映像信号により映像を液晶パネル部４ａに表示させることが出来る。更に、液晶パネル付きレンズカバー４には筐体内部スイッチ作動用凸部６が設けられており、液晶パネル付きレンズカバー４を回転させ係合爪５を筐体２側の係合孔７と係合させたとき、筐体内部スイッチ作動用凸部６は筐体内部スイッチ作動用孔８を突き抜けて筐体内の図示しない投射レンズ露出検出スイッチを押下して作動させる事が出来る。
【００１９】
次に、動作について説明する。
液晶パネル付きレンズカバー４が投射レンズ３を覆う位置にあるときは、液晶パネル部４ａは投射装置１の正面から視認できる状態にあり、筐体２内の電気回路からの映像信号により液晶パネル部４ａに映像を表示させて、投射装置の設定の表示や投射レンズから表示させる映像を試しに表示させて確認することができる。液晶パネル部４ａをタッチパネルとすれば、この液晶パネル部４ａを用いて設定の入力を行うことができる。
【００２０】
また、液晶パネル付きレンズカバー４を回転させ係合爪５を筐体２側の係合孔７と係合させて投射レンズ３を露出する位置にすると、筐体内部スイッチ作動用凸部６は筐体内部スイッチ作動用孔８を突き抜けて図示しない投射レンズ露出検出スイッチを押下して作動させ、この投射レンズ露出検出スイッチが作動する事により液晶パネル付きレンズカバー４の液晶パネル部４ａに表示されていた映像は、筐体２内部の光源用ランプから光学部品を経由して投射レンズ３より投射される。即ち、液晶パネル付きレンズカバー４が投射レンズ３を露出させる位置にあるときだけ投射レンズ３から映像光を放射し得るものであり、液晶パネル付きレンズカバー４が係合孔７に係合していないとき、即ち係合孔７ａに係合している状態から係合孔７に係合される直前までの間は、投射レンズ３から映像光は放射されない。
【００２１】
次に、投射レンズ３から映像を表示するか、液晶パネル付きレンズカバー４に映像を表示するかを切換えるロジックの例について図２に基づいて説明する。
【００２２】
図２において、液晶パネル付きレンズカバー４が投射レンズ３を覆っている場合は、投射レンズ露出検出スイッチからのカバー開信号２１がＯＦＦのため、光源ランプＯＮ信号２２がＯＮであっても投射レンズ３から光を放射せず、従って熱による液晶パネル付きレンズカバー４の変形を防ぐことができる。そのとき、液晶パネル部４ａに表示させる設定を行うことにより液晶パネル部表示信号２３がＯＮとなり、筐体２内の電気回路からの映像信号により液晶パネル部４ａに映像を表示させることができる。
【００２３】
液晶パネル付きレンズカバー４を開いて、係合爪５を筐体２側の係合孔７と係合させて投射レンズ３を露出する位置にすると、投射レンズ露出検出スイッチからのカバー開信号２１がＯＮとなり、液晶パネル付きレンズカバー４の液晶パネル部４ａに表示されていた映像は、筐体２内部の光源用ランプから光学部品を経由して投射レンズ３より投射されると共に、液晶パネル部４ａの表示は消える。
【００２４】
この実施の形態１によれば、液晶パネル付きレンズカバー４が投射レンズ３を露出させる位置にあるとき以外は、映像は光源用ランプから筐体２内光学部品を経由して投射レンズ３から放射されないのでレンズカバーの変形を防止し投射型表示装置１の寿命を長くすることができると共に投射型表示装置本体設定時等のスクリーンへの投影を必要としない場合は、液晶パネル付きレンズカバー４の液晶パネル部４ａに映像を出す事が出来るので高価で寿命時間の短い光源ランプを使用せずに映像を表示させる事ができ、光源ランプの寿命を長くするという効果がある。また、タッチパネルを用いることにより設定用のボタン類を省略することができる。
【００２５】
なお、液晶パネル付きレンズカバー４の枢軸部９は左側に限られるものではなく、投射レンズの取り付け位置によっては右側に設けても良い。また、液晶パネル付きレンズカバー４と筐体２との係合は係合爪によらなくても良く、例えば磁力や枢軸部の摩擦抵抗を高く設定するなどして投射レンズを露出する位置に保持出来れば良い。
【００２６】
実施の形態２．
図３は本発明の投射型表示装置の実施の形態２のレンズカバーを示す正面図である。実施の形態１を説明する図１と同一又は類似の構成については同じ符号を付し、説明は省略する。
図３において、液晶パネル付きレンズカバー４は、取手３１に力を加えることによりガイド３２に沿って左右方向に滑動可能に取り付けられており、図３の例では、右方向に移動させると投射レンズ３を覆い、左方向に移動させると露出することになる。勿論、投射レンズの取り付け位置によっては、この方向は逆であってもよい。また、図示しないが実施の形態１同様に、ラッチ機構により液晶パネル付きレンズカバー４は投射レンズ３を覆う位置と露出する位置において保持されると共に、液晶パネル付きレンズカバー４の位置を検出して投射レンズの露出を検出する検出スイッチが設けられている。他の構成及び動作は実施の形態１と同様であるため省略する。
【００２７】
この実施の形態２によれば、液晶パネル部４ａは、液晶パネル付きレンズカバー４の位置に寄らず正面から視認することができるため、実施の形態１の効果に加え、投射レンズから映像を表示していても液晶パネル部４ａに映像を表示できるため、投射装置の表示操作を液晶パネルから行うことができ、操作用のボタン類を省略することができる。
【００２８】
実施の形態３．
図４は本発明の投射型表示装置の実施の形態３を説明するための斜視図である。
図４において、投射型表示装置１は、実施の形態１とほぼ同一であり、図１と同一又は類似の構成については同じ符号を付し、説明は省略する。液晶パネル付きレンズカバー４を上方に開くように連結するための回動部４１が投射レンズ３の上方の筐体２に設けられ、更に回動部４１はもうひとつの回動部４２とも連結されており、液晶パネル付きレンズカバーは投射装置１の天板４３まで回動可能になっている。
【００２９】
また、液晶パネル付きレンズカバー４には筐体２との係合の為の係合爪５と筐体内部スイッチ作動用凸部６が設けられている。また、筐体２側には係合孔７と筐体内部スイッチ作動用孔８、図示しない筐体内部スイッチも実施の形態１と同様に備えられている。
液晶パネル付きレンズカバー４を天板４３に固定するときは液晶パネル部４ａを上方に向くように固定される。その状態で、使用者は液晶パネル部４ａの表示により投射装置の設定等を行うことができる。
【００３０】
液晶パネル付きレンズカバー４を天板側の、投射レンズ３を露出する位置にした場合は実施の形態１と同様に図示しない筐体内部スイッチが作動し、筐体２内部の光源用ランプから光学部品を経由して投射レンズ３より映像を投射することが可能となる。また、その時液晶パネル部４ａの表示を用いて投射装置の制御も行なうことができ、その場合は液晶パネル部４ａには投射型表示装置本体制御用のボタンが表示され、投射型表示装置本体の制御を行うタッチパネルのボタンとして機能させることが出来る。
【００３１】
この実施の形態３によれば、液晶パネル付きレンズカバー４を投射装置の天板に上方向に向けた状態で操作できるため、使用者は投射装置１の前からではなく、横又は後方から操作でき、操作性を向上することができる。
【００３２】
実施の形態４．
図５は本発明の投射型表示装置の実施の形態４を説明するための斜視図であり、液晶パネル部４ａがレンズカバー部４ｂから取り外された状態を示す。図５に基づいて説明する。実施の形態４の投射型表示装置１は、実施の形態３とほぼ同一であり、同一又は類似の構成には同一の符号を付し、説明は省略する。液晶パネル付きレンズカバー４は液晶パネル部４ａとレンズカバー部４ｂとに挿抜可能なコネクター５１ａ，５１ｂで構造的・電気的に連結されている。更に、液晶パネル部４ａにはリモートコントローラーとして遠隔操作が可能なように、赤外線発信部５２等の制御信号を出すための機能と単独で駆動させるための電池が備えられている。
【００３３】
レンズカバー部４ｂが投射レンズ３を露出させるための動作は実施の形態３と同様であるが、液晶パネル部４ａをレンズカバー部４ｂから取り外すことにより液晶パネル部４ａには投射型表示装置本体の設定及び制御用のボタンが表示される。この時、液晶パネル部４ａは内蔵された電池によって駆動される。使用者はこの取り外された液晶パネル部４ａによって投射型表示装置本体の遠隔操作が可能となる。他の構成及び動作は実施の形態３と同様であるため説明は省略する。
【００３４】
この実施の形態４によれば、投射型表示装置１に本体制御用のリモートコントローラーを別途付属する必要がなくなるため大幅なコスト削減が可能となり、またリモートコントローラーとしての液晶パネル部４ａを投射型表示装置本体に取り付けて保管出来るのでリモートコントローラー紛失等の心配がないという効果がある。
【００３５】
実施の形態４において、液晶パネル部４ａを赤外線等を用いた無線型のリモートコントローラーとしたが、有線で信号を伝送する方法でもよい。
【００３６】
上記各実施の形態において、レンズカバーに液晶パネルを備えたものを説明したが、液晶パネルではなく、プラズマディスプレイパネル、ＬＥＤ、ＥＬ（エレクトロルミネセンス）等の小型化できるフラットディスプレイであれば同様の効果を奏することは明らかである。
【００３７】
また、レンズカバーはレンズを露出したときに筐体に固定されるものでなく、表示装置からの映像信号伝送用のコード等により本体と接続されるような形態でもよい。
【図面の簡単な説明】
【００３８】
【図１】本発明の実施の形態１における投射型表示装置を示す斜視図である。
【図２】本発明の実施の形態１における投射型表示装置の信号の切換えを示すロジック図である。
【図３】本発明の実施の形態２における投射型表示装置の一部を示す正面図である。
【図４】本発明の実施の形態３における投射型表示装置を示す斜視図である。
【図５】本発明の実施の形態４における投射型表示装置を示す斜視図である。
【符号の説明】
【００３９】
１  投射装置、２  筐体、３  投射レンズ、４  液晶パネル付きレンズカバー、４ａ  液晶パネル部、４ｂ  レンズカバー部、５  係合爪、５ｂ  係合爪、６  凸部、７  係合孔、７ａ  係合孔、８  孔、９  枢軸部、２１  天板、３１  ガイド、３２  取手、４１  回動部、４２  回動部、４３  天板、５１ａ  コネクター、５１ｂ  コネクター、５２  赤外線発信部。
【図１】
2006227413.tif 000003
【図２】
2006227413.tif 000004
【図３】
2006227413.tif 000005
【図４】
2006227413.tif 000006
【図５】
2006227413.tif 000007